(57)【要約】【課題】通帳の明細頁が所定行以上となり新しい通帳への繰越しが発生した場合に、すぐに新通帳を発行するか、指定した日時以降に当該装置で新通帳を受取るか、あるいは装置使用者の自宅に郵送等で配送するかを装置使用者にて選択可能とすることにより、装置使用者のニーズに合致したフレキシブルな運用を可能とした通帳発行装置を提供する。【解決手段】複数の旧通帳を一時的に保留しておく為の通帳保留部を装置に有し、かつ通帳へ印字を行う複数の印字手段、通帳の頁をめくる手段、および後日新通帳発行時の使用者認証段とするためのカード発行可能なカード処理手段を有する。【選択図】  図１
2004318354.tif 000002
【特許請求の範囲】
【請求項１】
金融機関等の通帳への印字手段と通帳に貼り付けられた磁気ストライプに情報の書込みと読み込みを行う手段と、通帳の頁をめくる手段と新しい通帳を複数冊、複数種保有できる手段を有する装置でかつ、挿入された通帳の明細頁の印字が所定行以上となったとき新しい通帳を発行する機能を有する装置において、本装置の使用者が現在手持ちの通帳の印字可能な明細頁が無くなり、新通帳への繰越が必要となった場合に、すぐにこの場で新通帳の発行処理を実施するか、あとで実施するか、発行処理済の新通帳を金融機関の窓口等で受取るか、或いは郵送等により装置使用者の自宅に配送するか、等の受取り方法と受取り時間を自由に選択可能とすることを特徴とする通帳発行装置。
【発明の詳細な説明】
【０００１】
【発明の属する技術分野】
本発明は、銀行等の金融機関に設置する現金自動取引装置や通帳記帳機あるいは通帳発行装置においては装置の設置理由として窓口業務の省力化と装置使用者に対する処理時間の短縮を目的として、装置使用者に以後の処理の継続か否かを選択可能なものとし、また装置管理者側から見て効率的な装置運用を可能とするための装置構成とその運用に関するものである。
【０００２】
【従来の技術】
従来の方式は特開平１１−２８３０８２号公報に記載の通帳発行装置のように、通帳の繰越しにより新しい通帳を発行する状態になった場合において、装置利用者が希望する通帳を搭載していないため新通帳を発行できない場合は、後日窓口にて発行するための磁気情報と後日新通帳発行のための必要事項を印字した単票受取票を装置利用者に発行する運用を行うことを特徴としている。この方式によると、装置利用者が希望する通帳を搭載していないため新通帳を発行できない場合においてのみ後日新通帳を発行するための単票受付票を発行するものであり、繰越し発生時における以後の処理の継続か否かを選択するものではない。このため装置利用者が希望する通帳を搭載しており新通帳を発行可能であれば継続して新通帳の発行処理に移行し一定の処理時間後、旧通帳と共に新通帳が装置利用者に返却されることとなり、もし装置利用者が急いでいる場合は処理の終了まで待機しておかなければならず装置利用者に対し不利益を与えることも考えられる。
【０００３】
【特許文献１】
特開平１１−２８３０８２号公報
【０００４】
【発明が解決しようとする課題】
本発明は新通帳への繰越しが発生した場合は、旧通帳の処理後さらに一定の処理時間を必要とすることから、装置使用者が急いでいる場合は新通帳発行完了までの時間を待てない場合でも、新通帳発行の処理以降をすぐ行うか、後日行うか等の受取り方法と受取り時間を装置使用者自身にて自由に選択可能とすることにより装置使用者および装置管理者から見たフレキシブルな運用を実現するための装置構成を実現することにある。
【０００５】
【課題を解決するための手段】
前項の課題を解決するためには複数の旧通帳を一時的に保留しておく為の通帳保留部を装置に有し、かつ通帳へ印字を行う複数の印字手段、通帳の頁をめくる手段、および後日新通帳発行時の使用者認証段とするためのカード発行可能なカード処理手段を有することが必要である。
【０００６】
【発明の実施の形態】
以下、本発明の請求項１の実施形態を説明する。
【０００７】
図１は通帳発行装置１の全体概略を示す。請求項１の通帳取扱い部２、通帳一時退避部３、通帳保管部４およびカード発行処理部５にて通帳発行装置１を構成する。装置利用者は操作部６に表示される各種取引きの選択画面の操作により取引きを進める。旧通帳の明細頁が所定行以上となり新通帳の発行発行、すなはち繰越しが発生した段階で装置使用者に対し、現在の通帳の明細頁が所定行以上となったため新しい通帳へ繰越すために新通帳の発行処理を継続して行うか否か、当該装置にて指定した日時以降に受取るか、あるいは郵送等にて装置使用者の自宅に配送するかの選択をさせる。
【０００８】
図２は自動通帳発行装置内の通帳処理を行う機器の構成を示す。通帳７は挿入口８より印字面を表側に挿入され搬送ローラ９により、既印字の状況や頁マークを読取る光学センサ１０、また通帳の表紙に貼られた磁気ストライプの情報の読み込み、書込みを行う磁気ヘッド１１、さらに通帳に印字を行う印字ヘッド１２に通帳を搬送し印字を行う。また通帳の頁をめくる場合は頁替え部１３に搬送する。通帳を用いた一般的な動作としては、通帳挿入、印字の状況および頁マーク情報の取得および磁気ストライプ情報の取得を行い、取得した情報を上位装置に送信する。その後上位装置より更新された情報を受け取り、更新情報の印字および磁気情報の書込みを行い通帳を排出し装置利用者に通帳を返却する。前述の通帳の明細頁が所定行以上となった場合は新通帳への繰越しが必要となり、この場合は新通帳を発行し印字や磁気ストライプへの磁気データの書きこみを行うため、旧通帳を搬送路より一時的に退避させるため、一時退避部３へ搬送し保留する。その後、複数種の通帳を保管している通帳保管部４より装置利用者が選択した、あるいは所定の種類の通帳を通帳取扱部２へ搬送する。通帳取扱部２ヘ搬送された通帳は表紙、表紙見返し頁、明細頁への所定の印字を行い、かつ磁気ストライプへの磁気データの書きこみを磁気ヘッド１０により行い装置利用者へ返却する。続けて、旧通帳を一時退避部３より通帳取扱部２へ搬送し装置利用者へ返却する。これが旧通帳の処理から新通帳発行までの処理を連続して実施した場合であるが、旧通帳の明細頁が所定行以上となり新通帳の発行、すなわち繰越しが発生した段階で装置利用者に対し、現在の通帳が満杯となったため新通帳の発行を継続して行うか否かの選択をさせるが、ここで装置利用者が新通帳の発行は後日、当該装置で発行すると選択した場合について説明する。この場合は旧通帳は返却せず一時退避部３に保留しておく。これと同時に装置利用者が希望する受取り日、時間を情報入力手段より入力し、カード発行処理部５よりあとで同装置にて旧通帳と新通帳を受取るための磁気情報や必要事項等が記入された受取証としてのカードを発行する。そしてその装置利用者は受取証として発行されたカードを指定した日時以降にカード発行処理部５へカードを挿入することにより、新通帳と旧通帳を返却する。ここで一時退避部４は通帳１冊分を退避させておく部分を１ユニットとしこれを複数個実装する。ある装置利用者において繰越しが発生し、その装置利用者が新通帳の発行を後日行うことを選択した場合、先に説明したように旧通帳をあとでその装置利用者が新通帳の発行を行うまで装置内に保留しておくが、例えばこの通帳１冊分を退避させておく１ユニットを５個実装していれば５冊の通帳を預かることが出来る。すなわち５冊までは新通帳の発行以降の処理をあとで行うことが出来る。なお、新通帳の発行まで旧通帳を装置利用者に返却しない理由、すなわち通帳１冊分を退避させておく部分を１ユニットとしこれを複数個実装する理由は、新通帳への繰越しをする時点でこの旧通帳の磁気データを消去あるいは無効なデータへの書き換えをする必要がある。これは装置利用者にこの明細頁が満杯となった状態のまま通帳を返却しても、現金自動取引装置等で通帳を用いた処理を行った場合に通帳にその明細を印字できないため、通帳を用いた取引が不可能なためである。よって通常は新通帳への繰越しを行う場合は旧通帳の磁気データの消去あるいは無効なデータへの書き換えを行って、新通帳と共に装置利用者に返却する必要がある。
【０００９】
次に新通帳の受取りを装置利用者の自宅等に配送すると選択した場合の実施形態を説明する。この場合は、装置利用者は情報入力手段にて配送を選択し、旧通帳を回収部に収納し処理を終了する。その後、営業店の業務終了後や一定時期に回収部内の旧通帳を係員が回収し、当該旧通帳に対応した新通帳の作成、装置利用者の自宅への配送等の一連の事務処理を実施する。
【００１０】
【発明の効果】
本発明により通帳の明細頁が所定行以上となり新しい通帳への繰越しが発生した場合はすぐに新通帳を発行するか、指定した日時以降に当該装置で新通帳を受取るか、あるいは装置使用者の自宅に郵送等で配送するかを装置使用者にて選択可能とすることにより、装置使用者のニーズに合致したフレキシブルな運用が可能な通帳発行装置を提供することが出来る。
【図面の簡単な説明】
【図１】実施例の装置の全体構成を説明する図である。
【図２】通帳取扱い部の種類の一例を示す図である。
【符号の説明】
１…通帳発行装置、２…通帳取扱い部、３…通帳一時退避部、４…通帳保管部、５…カード発行処理部、６…操作部、７…通帳、８…通帳の取込口／排出口、９…搬送ローラ、１０…光学センサ、１１…磁気ヘッド、１２…印字ヘッド、１３…頁替え部、１４…上位処理部。
【図１】
2004318354.tif 000003
【図２】
2004318354.tif 000004